【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
近距離無線通信モジュール（７５）と、
セルラー無線通信モジュール（７６）と、
前記セルラー無線通信モジュール（７６）を用いて、キーデバイスと関連したアクセス権を、セルラー通信ネットワーク（３２）を介して、アクセス制御装置（３０）に通信するために構成されるコントローラ（７２）と、を備えるアクセス制御通信装置（７０）であって、
前記コントローラは、
前記ロック装置（２０）と関連したアクセス管理データの要求を送り、前記ロック装置（２０）と関連したアクセス管理データを受け取ることによって前記アクセス権を通信するように構成されており、
前記コントローラは、さらに、前記アクセス管理データを、前記ロック装置（２０）に転送するために前記キーデバイス（１）に送信するよう構成されており、
前記コントローラは、前記アクセス制御装置（７０）が、前記近距離無線通信モジュール（７５）を用いて前記キーデバイス（１）と通信する際に、前記アクセス権を通信し、前記アクセス管理データを送信するように構成されている、アクセス制御通信装置（７０）。
【請求項２】
前記コントローラは、前記アクセス制御装置（７０）が前記近距離無線通信モジュール（７５）を用いて前記キーデバイス（１）と通信する際に、前記アクセス制御装置（３０）との以下の通信、すなわち、一つまたは複数のロック装置（２０）用に更新されたアクセス権を受け取ることと、特に前記キーデバイス（１）用に更新されたアクセス権を受け取ることと、前記キーデバイス（１）用に更新された有効期間を受け取ることと、前記キーデバイス（１）のクロック用に更新された期間を受け取ることと、一つまたは複数のロック装置（２０）用の監査証跡を送ることと、前記キーデバイス（１）用の監査証跡を送ること、のうち、任意の一つまたは複数を行うように構成される、請求項１に記載のアクセス制御通信装置（７０）。
【請求項３】
前記コントローラ（７２）は、トリガー条件が真と判定された場合に、前記アクセス制御装置（３０）との通信を行うためだけに構成される、請求項１または２に記載のアクセス制御通信装置（７０）。
【請求項４】
前記トリガー条件は、前記アクセス制御通信装置（７０）のタイマーが終了する際に真である、請求項３に記載のアクセス制御通信装置（７０）。
【請求項５】
前記アクセス制御通信装置（７０）は、ユーザインターフェース（７１）をさらに備え、前記トリガー条件は、更新コマンドが前記ユーザインターフェース（７１）を用いて検出される際に真である、請求項３または４に記載のアクセス制御通信装置（７０）。
【請求項６】
移動通信端末（７９）の一部を形成する、請求項１から５のいずれか一項に記載のアクセス制御通信装置（７０）。
【請求項７】
コードインプット装置（７７）をさらに備え、前記コントローラ（２）は、前記コード入力装置（７７）を使用して正しいコードが入力されると、前記アクセス制御通信装置（７０）と通信しているキーデバイス（１）の有効期間を延長するよう構成される、請求項１から６のいずれか一項に記載のアクセス制御通信装置（７０）。
【請求項８】
近距離無線通信モジュール（７５）と、セルラー無線通信モジュール（７６）と、コントローラと、を有するアクセス制御通信装置（７０）で実行される方法であって、
キーデバイス（１）が、前記近距離無線通信モジュール（７５）を用いて前記アクセス制御装置（７０）と通信していることと、物理的空間へのアクセスを判定するために前記キーデバイス（１）がロック装置（２０）と通信していることとを判定する工程（９０）と、
前記キーデバイス（１）から前記ロック装置（２０）の識別子を取得する工程（９７）と、
前記セルラー無線通信モジュール（７６）を用いて、前記キーデバイスと関連したアクセス権を、セルラー通信ネットワーク（３２）を介してアクセス制御装置（３０）に通信する工程であって、前記ロック装置（２０）と関連したアクセス管理データの要求を送るサブ工程と、前記ロック装置（２０）と関連したアクセス管理データを受け取るサブ工程と、を有する工程と、
前記アクセス管理データを、前記ロック装置（２０）に転送するために前記キーデバイス（１）に送信する工程（９８）と、を備える方法。
【請求項９】
前記通信する工程（９２）は、前記アクセス制御装置（３０）との以下の通信タスク、すなわち、一つまたは複数のロック装置（２０）用に更新されたアクセス権を受け取ることと、特に前記キーデバイス（１）用に更新されたアクセス権を受け取ることと、前記キーデバイス（１）用に更新された有効期間を受け取ることと、前記キーデバイス（１）のクロック用に更新された期間を受け取ることと、一つまたは複数のロック装置（２０）用の監査証跡を送ることと、前記キーデバイス（１）用の監査証跡を送ること、のうち、任意の一つまたは複数を行うことを備える、請求項８に記載の方法。
【請求項１０】
トリガー条件が真であるかどうかを判定する工程（９１）をさらに備え、前記アクセス制御装置に通信する工程（９２）は、前記トリガー条件が真と判定された場合にのみ起こる、請求項８または９に記載の方法。
【請求項１１】
前記トリガー条件が真であるかどうかを判定する工程（９１）において、前記トリガー条件は、前記アクセス制御通信装置（７０）のタイマーが終了する際に真である、請求項１０に記載の方法。
【請求項１２】
前記アクセス制御通信装置（７０）は、ユーザインターフェース（７１）をさらに備え、前記トリガー条件が真であるかどうかを判定する工程（９１）において、前記トリガー条件は、前記ユーザインターフェース（７１）を用いる前記ユーザから更新コマンドが検出される際に真である、請求項１０または１１に記載の方法。
【請求項１３】
コードインプット装置（７７）を用いて、ユーザにより入力されたコードを受け取る工程（９４）と、
前記アクセス制御通信装置（７０）と通信しているキーデバイス（１）の有効期間を延長する工程（９６）と、をさらに備える、請求項９から１２のいずれか一項に記載の方法。
【請求項１４】
前記アクセス制御装置に通信する工程（９２）は、前記キーデバイス（１）と前記アクセス制御装置（３０）との間の出入り口として機能することを備える、請求項９から１３のいずれか一項に記載の方法。
【請求項１５】
アクセス制御通信装置（７０）で実行されると、前記アクセス制御通信装置（７０）に、
前記近距離無線通信モジュール（７５）を用いてキーデバイス（１）が前記アクセス制御装置（７０）と通信していることと、物理的空間へのアクセスを判定するために前記キーデバイス（１）がロック装置（２０）と通信していることと、を判定することと、
前記キーデバイス（１）から前記ロック装置（２０）の識別子を取得することと、
前記ロック装置（２０）と関連したアクセス管理データの要求を送るサブ工程と、前記ロック装置（２０）と関連したアクセス管理データを受け取るサブ工程と、を有しつつ、前記セルラー無線通信モジュール（７６）を用いて前記キーデバイスと関連したアクセス権を、セルラー通信ネットワーク（３２）を介してアクセス制御装置（３０）に通信することと、
前記アクセス管理データを、前記ロック装置（２０）に転送するために前記キーデバイス（１）に送信することと、を行わせるコンピュータプログラムコードを備えるコンピュータプログラム（６６）。
【請求項１６】
請求項１５に記載のコンピュータプログラムと、前記コンピュータプログラムが格納されるコンピュータ読み出し可能手段と、を備えるコンピュータプログラム製品（７８）。